(57)【要約】【課題】特定方向への排水効率を向上させ、かつ複数の連結が容易な水路板、及びこれを用いた排水施設を提供する。【解決手段】水路板１は、長尺状で幅広平板の両面に、長尺方向に沿って連続的に形成した凸条と凹条の複数本を平行に配列形成して成る流路基板２と、流路基板の全体を包被する通水シート材であって、砂礫の通過を阻止し得る程度の多孔性を持った包被体３と、から構成し、包被体を流路基板の長尺方向の両端側で開放、かつ延長させて構成する。流路基板は可撓性を有すると共に、凸条及び凹条の所定位置に複数個の貫通孔４を形成する。排水施設は、水路板を地下の所定深さに埋設すると共に、既存暗渠施設に方向に下方勾配させて構成する。排水施設は単体の水路板だけでなく、複数の水路板を長尺方向に連結させて埋設する構成としても良い。排水施設の終端は、既存暗渠施設と連通させることが好適である。【選択図】図１
2014211056.tif 000002
【特許請求の範囲】
【請求項１】
長尺状で幅広平板の片面または両面に、該長尺方向に沿って一連にまたは不連続に形成した凸条または凹条の複数本を、それぞれ略平行に配列形成して成る流路基板と、
該流路基板の全体を包被する通水シート材であって、砂礫の通過を阻止し得る程度の多孔性を持った包被体と、
から成り、
前記包被体は、上記流路基板の長尺方向の一端側または両端側を開放させて配設していることを特徴とする水路板。
【請求項２】
前記包被体の流路基板への配設において、上記一端側または両端側を外側へ延長させた配設としていることを特徴とする請求項１記載の水路板。
【請求項３】
前記流路基板が、その凸条の凸頂部付近及びまたは凹条の凹底部付近に、複数個の貫通孔を有することを特徴とする請求項１、又は２記載の水路板。
【請求項４】
前記包被体が、袋帯状を成し、かつ流路基板へ非固定であること特徴とする請求項１、２、又は３記載の水路板。
【請求項５】
前記流路基板の長尺方向の一端部または両端部が、連結仕様であることを特徴とする請求項１、２、３、又は４記載の水路板。
【請求項６】
前記流路基板が、可撓性を有することを特徴とする請求項１、２、３、４、又は５記載の水路板。
【請求項７】
請求項１乃至６記載の水路板を、芝生面下、砂地面下、または砂地面上に配置すると共に、敷設した暗渠施設に向かって下降勾配をもって敷設したことを特徴とする排水施設。
【請求項８】
前記水路板の複数個を、長手方向の端部同士を連結して埋設したことを特徴とする請求項７記載の排水施設。
【請求項９】
前記水路板の連結において、板面端部まで延設した凸条または凹条を適宜の長さにおいて重ね合わせると共に、該重ね合わせ部分を延長形成した包被体で包被したことを特徴とする請求項８記載の排水施設。
【請求項１０】
上記水路板を所定深さの地中に埋設すると共にその終端部を、埋設した暗渠施設と連通させたことを特徴とする請求項７、８、又は９記載の排水施設。
【発明の詳細な説明】
【技術分野】
【０００１】
本願発明は、面状排水材の技術分野に属し、特にゴルフ場のフェアウェイやバンカーの排水機能を向上及び回復させる水路板及びこれを用いた排水施設に関する。
【背景技術】
【０００２】
芝面の起伏と遠近の広がりが組み合わさったゴルフ場には、メインコースとしてフェアウェイと共にゲームの面白さを高める趣向施設として各種のハザードを配置している。ハザードの一つとしては、コースのフェアウェイ上に種々の形状と大きさで掘り下げ、さらさらに乾いた砂を敷き詰めたバンカーがある。
【０００３】
上記フェアウェイは、経年使用により芝生の成長、降雨や降雪の飛散物、又はシルト（砂と粘土の中間粗さの砕屑物）などによって排水機能が低下し、水溜まりや地面硬化、変色部がいたる所にできて、景観や嗜好を損ねるばかりでなくプレイにも支障をきたす場合があった。また、バンカーは砂地色でかつ窪地であるため、飛散物やシルトが堆積し易く、これらの障害はフェアウェイに比べて目立ち易いものであった。
【０００４】
そこで、これらの原因の一つである排水機能の低下を改善するために、フェアウェイの芝面の一部の芝生を剥がして、地面を所定深さ（約３００〜１０００ｍｍ程度）掘り下げて新規に暗渠管を埋設して行う、暗渠施設の構築が行われていた（以下、「暗渠施設の新設」と称する。）。また、バンカーに関しても、従来工法としてバンカー内の砂全部を新たなものに入れ換える工法（「総入替え工法」と称する。）、又は下記の特許文献１〜３で開示しているように、硬化した砂の塊を砕いていったんバンカー外に搬出し、これを粉砕・洗浄した後、乾燥させて再びバンカー内に敷き詰める工法（「搬出洗浄工法」と称する。）を採っていた。
【０００５】
また従来例としては、上記のゴルフ場の排水機能の向上に限定するものではないが、例えば、公園緑地などの芝生面の暗渠施設、又は法面や擁壁の裏面側排水を目的とした特許文献４開示の「面状排水材」がある。
【先行技術文献】
【特許文献】
【０００６】
【特許文献１】実開平１−１４８７４２
【特許文献２】特開平７−１３２２４５
【特許文献３】特開２００８−８６９２１
【特許文献４】特開２００６−１６８７５
【発明の概要】
【発明が解決しようとする課題】
【０００７】
しかし、上記のフェアウェイの掘り起こしを伴う「暗渠施設の新設」、及びバンカー砂の「総入替え工法」は、新たな砂の調達経費、残土や廃棄土砂の処分経費が嵩む問題があった。また、暗渠施設用の暗渠管の搬入出用のクレーン装置、砂搬出入のためのコンベア装置、さらには掘り出し用のバケット器具などの設置や撤収に多くの時間と経費を要していた。
【０００８】
特に、バンカー砂の「搬出洗浄工法」は、各行程において大型や小型の重機類を必要としていた。例えば、砂搬送用のコンベア装置、砂洗浄処理槽、汚水処理装置、及び洗い砂乾燥装置、等が必要であった。さらには、これらの装置をバンカーから離れた場所に設置するため、バンカー砂の搬送用車両も必要となった。これらの重機類や車両の移動は芝面を痛め、場合によってはその補修の作業も必要となる問題があった。
【０００９】
一方で、上記の大掛かりな暗渠施設の新設や大型車両や装置を用いる工法に代えて、特に排水機能が低下したフェアウェイやバンカーの特定部分に特許文献４に示す「面状排水材」を用いる施設を想定することができる。この場合、芝面を痛める等の問題は回避できることとなる。
【００１０】
しかし、上記の「面状排水材」は排水方向を限定しない構成であるため、特定方向へ排水機能を向上させることは難しいものであった。そのため、特定位置に既存の暗渠施設を配置したゴルフ場での使用は、既存の暗渠施設の方向に排水する場合の排水集約効率が悪く不向きな点があった。
【００１１】
また、面状排水材の複数を配設する場合には、その連結仕様は外装の透水シートのみを重ねて接合して隣接配設するものであり、土砂の進入は防御できる一方で隣接箇所にて連結不足による屈曲が発生し易く、この屈曲部分から水が漏れだして排水効率が低下するおそれがあった。
【００１２】
そこで、本願発明は上記の課題に着目してなされたものであり、特定方向への排水効率を向上させ、かつ複数の連結が容易な水路板を提供し、併せてこれを用いた排水施設、特にゴルフ場のフェアウェイやバンカーの排水機能の向上を図ることができる排水施設を提供するものである。
【課題を解決するための手段】
【００１３】
上記の課題を解決するために、本願発明にかかる水路板は、以下のように構成している。
【００１４】
すなわち、長尺状で幅広平板の片面または両面に、該長尺方向に沿って一連にまたは不連続に形成した凸条または凹条の複数本を、それぞれ略平行に配列形成して成る流路基板と、該流路基板の全体を包被する通水シート材であって、砂礫の通過を阻止し得る程度の多孔性を持った包被体と、から成り、前記包被体は、上記流路基板の長尺方向の一端側または両端側を開放させて配設していることを特徴としている。
【００１５】
上記構成の流路基板は、凸条と凹条を連続的に接続させて、その幅方向の断面形状が所謂サインカーブに形成することが好適であるが、凸条と凹条の複数本を配列しているものであれば、その凸条と凹条の形状は、矩形、台形、三角形の種々の形状に設定しても良い。
【００１６】
また、流路基板は可撓性を有することを特徴とし、その上面視からの形状についても矩形状が好適であるが、流路側である長尺方向の端部を丸めた長楕円や端部を鋭角に尖らせた六角形、等の種々の形状にしても良い。
【００１７】
かかる構成の水路板は、包被体によって砂礫粒子が進入しない一方で包被体を透過した雨水等を流路基板の凹底部にて集水でき、水路板全体の傾斜に従ってその長尺方向に雨水等を排水する。
【００１８】
さらに、包被体の流路基板への配設においては、上記一端側または両端側を外側へ延長させた配設とし、加えて、包被体を袋帯状に形成すると共に流路板へ非固定であることを特徴としている。
【００１９】
この包被体の構成により、流路基板を包被体へ収納することにより水路板を容易に構成でき、流路基板の端部で包被体を折り畳むことによって流路基板の端部側への砂礫の進入も防止できる。
【００２０】
さらにまた、上記流路基板は、その凸条の凸頂部付近及びまたは凹条の凹底部付近に、複数個の貫通孔を有する形態としても良い。この形態の場合、凸頂部の貫通孔を通過した雨水は凸頂部の下方空間に進入する結果、この下方空間までもが凹底部と同様に排水路として機能することになる。
【００２１】
加えて、前記流路基板の長尺方向の一端部または両端部は、連結仕様であることを特徴としている。連結仕様としては、包被体の開放側から挿入した他の流路基板と、被挿入側の流路基板の断面形状が沿うように重ねると共に、流路基板を被う包被体どうしも重ねる形態である。この場合、挿入側の包被体も開放していることが好適であるが、閉塞状態の場合は包被体を介在させつつ流路基板どうしを重ねるようする。
【００２２】
また、流路基板が貫通孔を有する形態では、連結仕様を貫通孔とこの貫通孔を介して締結する螺合手段とから構成することが好適である。具体的には、流路基板の重なり部分の貫通孔位置を適合させ、ボルト、ナット、及び２枚のワッシャで締結する形態が好適である。
【００２３】
次に、上記構成の水路板を用いた排水施設は、以下のように構成している。
すなわち、上記構成の水路板を、例えば、ゴルフ場のファアウェイであれば所定深さの芝生面下に埋設し、又はバンカーであれば所定深さの砂地面下に埋設し、及び砂地面上に配置すると共に、敷設済み既存の暗渠施設に向かって下方勾配させて構成したことを特徴としている。
【００２４】
また、排水施設は単体の水路板だけでなく、その複数個を長手方向の端部どうしを連結し、埋設して構成するようにしても良い。この水路板の連結においては、板面端部まで延設した凸条または凹条を適宜の長さで重ね合わせると共に、該重ね合わせ部分を延長形成した包被体で包被する。
【００２５】
ここで、排水施設の水路板は可撓性を有するため、地中接地面の凹凸に倣った敷設ができるだけでなく、連結部分での屈曲の発生も防げる。そして、流路基板の連結部で横方向に変形させたり、流路基板の短手方向に若干ずらしつつ複数を連結させたりすることにより、連結した水路板の全体でカーブを成す排水施設とすることもできる。
【００２６】
さらに、上記排水施設の終端は、既存の暗渠施設と連通させるようにすることが好適である。連通対象の暗渠施設としては、例えば、箱状であって上方開放の集水枡が挙げられる。
【００２７】
上記構成の排水施設は、フェアウェイやバンカーに降下して染みこんだ雨水等やバンカーの砂面上に降下した雨水等を水路板によって集水し、その流路基板の長手方向の勾配下方側の既存の暗渠施設に向かって排水する。そして、既存の暗渠施設に集約された雨水等は、フェアウェイやバンカー外に速やかに排水されることとなる。
【発明の効果】
【００２８】
上記のように構成した本願発明にかかる水路板は、上述したように簡易な構成でありながら雨水等の集約と特定方向への排水性に優れ、その敷設時の取り扱い性及び相互の連結も容易である。
【００２９】
また、これを用いた排水施設は、特にゴルフ場の特定部分に容易に水路板の単体を敷設し、又は複数連結して容易に構築できる。このため、従来の暗渠施設の新設やバンカー砂の総入替え工法、搬出洗浄工法とも比較しても小規模な工事、例えば、人力でも十分に可能となり、芝面の荒廃やゴルフ場の休業を伴わずに事業者にとっても顕著な貢献がある。
【図面の簡単な説明】
【００３０】
【図１】本願発明に係る水路板を示す一部切り欠き斜視図である。
【図２】本願発明に係る水路板を地中に敷設した場合における図１のＡＡ'線断面図（Ａ）と、その部分拡大図（Ｂ）である。
【図３】本願発明に係る水路板の連結仕様を説明する斜視図（Ａ）、（Ｂ）である。
【図４】本願発明に係る水路板の流路基板の変形例を示す断面図（Ａ）、（Ｂ）、（Ｃ）である。
【図５】本願発明に係る水路板を用いた排水施設の概要を示す平面図である。
【図６】図５のＢＢ'線断面図（Ａ）とＣＣ'線断面図（Ｂ）である。
【発明を実施するための形態】
【００３１】
以下に、本願発明にかかる水路板及びこの水路板を用いた排水施設の最良の実施形態例について、図面に基づき詳細に説明する。
【００３２】
まず、水路板１から説明する。図１は水路板を示す一部切り欠き斜視図であり、図２は水路板を地中の土壌層に敷設した場合における図１のＡＡ'線断面図（Ａ）と、その部分拡大図（Ｂ）であり、図３は水路板の連結仕様を説明する斜視図（Ａ）、（Ｂ）であり、図４は水路板を構成する流路基板の変形例を示す断面図（Ａ）、（Ｂ）、（Ｃ）である。
【００３３】
水路板１は、主に、長尺状で幅広平板の両面に、長尺方向に沿って連続的に形成した凸条と凹条の複数本を、それぞれ略平行に配列形成して成る流路基板２と、流路基板２の全体を包被する通水シート材であって、砂礫の通過を阻止し得る程度の多孔性を持った包被体３と、から構成している。そして、流路基板２の長尺方向の包被体３の両端側を開放している。
【００３４】
上記流路基板２は、塩化ビニル、ポリエチレン、ポリプロピレン、ポリカーボネート、等の軽量かつ可撓性を有する硬質合成樹脂材から成り、凸条２１と凹条２２の複数を略平行に連続的に接続した形状を有している。かかる構成の流路基板２は、上面視において全体が矩形板状を成し、複数の樋状体をその幅方向に接続した形状を呈している。
【００３５】
この矩形状の流路基板２の寸法は、幅方向が約２００ｍｍ程度、長尺方向は約１８００ｍｍ程度であり、その幅方向の断面形状は所謂サインカーブを描きつつ凸条２１と凹条２２とが連続的に接続した形状である。
【００３６】
なお、流路基板２は、全体形状を上記矩形に限定するものでなく、その長尺方向の両端部を曲線とした長楕円形、鋭角状に突出させた全体６角形、又はその他の多角形としても良い。断面形状についても、所謂サインカーブに限定するものではなく、図４に示すように、連続的に接続した矩形、台形、三角形の種々の形状に設定しても良く、かかる形状の凸条２１と凹条２２とを不連続に接続した形状にしても良い。
【００３７】
また、流路基板２は、凸条２１の凸頂部２１ａ、及び凹条２２の凹底部２２ａに沿って複数の貫通孔４を開孔している。この貫通孔４は流路基板２の強度が大きく低下しない程度、例えば、１０ｍｍ程度の直径で１００〜２２０ｍｍの適宜の間隔で形成している。また、貫通孔４の幅方向の配置は、凸頂部２１ａと凹底部２２ａで長尺方向に位置をずらした所謂千鳥状の配置としている。
【００３８】
なお、流路基板２は、連続する凸条２１と凹条２２を有し、貫通孔４も凸条部２１ａと凹底部２２ａの両方に開孔しているため、引っ繰り返しても同様の形態となるために所謂裏表が無い形態となる。また、強度の低下が問題なければ、上記貫通孔４を凸頂部２１ａと凹底部２２ａで直線上に並ぶ位置に配置しても良い。
【００３９】
次に、包被体３は袋帯状を成すと共に、流路基板２に固定することなく流路基板２の全体を包被している。この包被体３は、砂礫粒子の通過を阻止する一方で透水性がある多孔性（網目）を有する軟質、かつ通水シート材であって、例えば、合成繊維から成る織布である。もちろん、砂礫粒子の通過を阻止すると共に透水性を有するものであれば、天然繊維や不織布を採用することもでき、所謂濾過シートを採用することも可能である。
【００４０】
また、包被体３は、流路基板２の長尺方向の両端部を開放した開放部３１を形成すると共に、その開放端を流路基板２の長尺方向に延長させている。
【００４１】
上記構成の水路板１は、ゴルフ場のフェアウェイｆの土壌層ｇやバンカーｂの砂層ｓに所定の傾斜勾配をもって敷設すると、流路基板２がある程度の可撓性を有すると共に包被体３が軟質材であるために、全体が撓みつつ裁置面に倣って敷設できる。また、水路板１の全体も軽量である上に所謂裏表もないため、人力でも容易に運搬やその敷設が可能となっている。
【００４２】
そして、上記フェアウェイｆやバンカーｂに降った雨水等は、包被体３を透過して流路基板２の凹底部２２ａの勾配傾斜に沿って排水されることとなる。一方、砂礫粒子は、包被体３によって流路板２の凸頂部２１ａや凹底部２２ａへの進入が防止されている。また、貫通孔４を通過した（矢印ａ）雨水ｗも、凸条２２と包被体３が成す下方空間２１ａを介して同様に排水されることとなる。
【００４３】
さらに、上記構成の水路板１は、長尺方向に連結することができ、言わば、長尺方向の両端部に連結仕様を有している。連結仕様としては、一方の水路板１の長尺方向側端部の包被体３の開放部３１に他方の水路板１の長尺方向側端部の全体を挿入し、流路基板２どうしの凸条２１と凹条２２とを適合させて重ね合わせると共に、包被体３についても挿入側と被挿入側とを重ね合わせるものである。
【００４４】
上記の連結仕様では、流路基板２の端部付近で厚さ寸法が２倍程度となり当該箇所の強度が格段に向上すると共に、包被体３が流路基板２より長いために流路基板２の重なり部分を重なった包被体３でさらに包被でき、連結部分での流路基板側への砂礫粒子の進入が十分に阻止できる。
【００４５】
水路板１は、連結時において一又は複数の水路板１をその幅方向に変形させつつ又は長尺方向の端部で若干ずらしつつ敷設すれば、複数連結した水路板１、１、・・の全体でカーブを描く配設とすることもできる。
【００４６】
また、本実施形態例の水路板１の包被体３は、流路基板２に対して長尺方向の両端側を開放しているが、一端側のみ開放した形態である場合には、一方の水路板１の包被体３の開放部３１に他方の閉塞部（図示省略）を挿入する連結仕様としても良い。この場合、軟質材である包被体３は、硬質材である流路基板２の形状に倣って流路基板２と共に重なることとなる。
【００４７】
また、上記の連結仕様においては、連結部分において流路基板２の貫通孔４を位置合わせして、この貫通孔４を介したボルト４１、ナット４２、及び前後の２枚のワッシャ４３の締結とすることも可能である。この締結によって、より強固な水路板１どうしの連結が可能となる。
【００４８】
次に、上記構成の水路板１を用いた排水施設５について説明する。
本実施形態例の排水施設５は、ゴルフ場の特定のファアウェイｆ又バンカーｂ、特に排水機能が低下した適宜の地中に敷設して構成している。
【００４９】
排水施設５としては、所定深さ、約１００〜５００ｍｍの土壌層ｇや砂層ｓに、地面側の芝面や砂面とだいたい沿う方向に所定の傾斜勾配をもって敷設する。この場合、芝面を一部捲り上げることとなるが、上述のように通常の暗渠施設に比べて浅い位置であり、長尺方向側の距離も短めであるために人力での掘削や敷設が十分に可能であり、パワーシャベル等の大型重機類を使用する必要はない。なお、バンカーｂに敷設する場合には、砂層ｓだけでなく砂地面上に裁置しても良い。
【００５０】
また、排水施設５の傾斜方向としては、ゴルフ場外への排水を促す既存の暗渠施設６の方向が好適であるが、かかる暗渠施設６が近くにない場合は所定の地中浸透位置に向かって傾斜させるようにしても良い。
【００５１】
バンカーｂの砂層ｓに敷設する場合は、バンカーｂの形状が円形、多角形、等の種々の形状であって浅いすり鉢状に深く掘り込んだもの等多岐に渡るため、既存の暗渠施設６に向かうように単体、又は連結した水路板１から成る複数形路の排水施設５を構築することが望ましい。
【００５２】
上記排水施設５で用いる水路板１は、軽量な合成樹脂材から成る流路基板２と軟質材から成る包被体３で構成され表裏もないため、人力での取り扱いや連結も容易であり、複数の水路板１の連結でカーブの形成も可能である。また、水路板１の流路基板２は可撓性を有するために地中の接地面に対しても倣い性も良好であり、上方に土砂を戻しても流路基板２が破損するおそれや連結部での屈曲などによる破損のおそれもない。
【００５３】
排水施設５の構築において水路板１を連結する場合には、始端側は流路基板側へ砂礫の進入を防ぐために閉塞することが望ましい。このため、予め閉塞した袋帯状の包被体３を用意しても良いが、始端側の包被体３を折り曲げ処理するようにして閉塞しても良い。
【００５４】
一方で、上記したように排水施設５を構築する連結した水路板１の終端側は、既存の暗渠施設６と連通することが好適である。例えば、水路板１の終端を、矩形箱所に形成した集水枡６１の上面フィルター部６１ａ（排水の取入口）の上部と連通させて配設することが挙げられる。かかる配設により排水施設５の水路板１よって集約された雨水ｗは集水枡６１及びこれに接続する暗渠管６２を介してゴルフ場外に排出されることとなる。
【産業上の利用可能性】
【００５５】
上記の水路板１は、特にゴルフ場のファアウェイやバンカーを対象としたものであるが、これに限らず、同様に芝面や砂が一定深さに堆積した場所、例えば、サッカー場、野球場、公園の砂場、及び海浜や河川の砂地の排水機能向上にも応用することができる。
【符号の説明】
【００５６】
１  水路板
２  流路基板
２１  凸条
２１ａ  凸頂部
２１ｂ  下方空間
２２  凹条
２２ａ  凹底部
３  包被体
３１  開放部
４  貫通孔
４１  ボルト
４２  ナット
４３  ワッシャ
５  排水施設
６  暗渠施設（既存の）
６１  集水枡
６１ａ  上面フィルター部
６２  暗渠管
ｆ  ファアウェイ
ｇ  土壌層
ｂ  バンカー
ｓ  砂層
ｗ  雨水
【図１】
2014211056.tif 000003
【図２】
2014211056.tif 000004
【図３】
2014211056.tif 000005
【図４】
2014211056.tif 000006
【図５】
2014211056.tif 000007
【図６】
2014211056.tif 000008
【手続補正書】
【提出日】平成25年7月19日(2013.7.19)
【手続補正１】
【補正対象書類名】特許請求の範囲
【補正対象項目名】請求項１
【補正方法】変更
【補正の内容】
【請求項１】
長尺状の幅広平板であって、該長尺方向に沿って連続的に形成した凸条または凹条の複数の樋状体を、それぞれ略平行に配列形成して成る流路基板と、
該流路基板の全体を包被する通水シート材であって、砂礫の通過を阻止し得る程度の多孔性を持った包被体と、
から成り、
前記包被体は、上記流路基板の長尺方向の一端側または両端側を開放させて配設していることを特徴とする水路板。
【手続補正２】
【補正対象書類名】明細書
【補正対象項目名】００１４
【補正方法】変更
【補正の内容】
【００１４】
すなわち、長尺状の幅広平板であって、該長尺方向に沿って連続的に形成した凸条または凹条の複数の樋状体を、それぞれ略平行に配列形成して成る流路基板と、該流路基板の全体を包被する通水シート材であって、砂礫の通過を阻止し得る程度の多孔性を持った包被体と、から成り、前記包被体は、上記流路基板の長尺方向の一端側または両端側を開放させて配設していることを特徴としている。
【手続補正３】
【補正対象書類名】明細書
【補正対象項目名】００１５
【補正方法】変更
【補正の内容】
【００１５】
上記構成の流路基板は、凸条と凹条を連続的に接続させて、その幅方向の断面形状が所謂サインカーブに形成することが好適であるが、凸条と凹条の複数の樋状体を配列しているものであれば、その凸条と凹条の形状は、矩形、台形、三角形の種々の形状に設定しても良い。
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
長尺状かつ幅広平板状を成した可撓性単板であって、該長尺方向に連続した凸条又は凹条の樋状体の複数個をそれぞれ略平行に配列形成すると共にその凸条の凸頂部付近及び又は凹条の凹底部付近に、複数個の貫通孔を形成して成る流路基板と、
該流路基板の全体を包被する通水シート材であって、砂礫の通過を阻止し得る程度の通水性を有した包被体と、
から成り、
前記包被体は、上記流路基板の長尺方向の一端側を閉塞すると共に、他端側を開放させて流路基板の端部より外側へ延長させて形成していることを特徴とする水路板。
【請求項２】
請求項１記載の水路板を一個又は連結して、芝生面下、若しくは砂地面下に埋設、又は砂地面上に配置すると共に、既存の又は敷設した暗渠施設へ向かってかつ下降勾配をもって敷設したことを特徴とする排水施設。
【請求項３】
前記水路板の連結が、
長手方向の端部同士を適宜の長さをもって重ね合わせると共に、該重ね合わせた部分を延長形成した包被体で包被したものであることを特徴とする請求項２記載の排水施設。
【手続補正２】
【補正対象書類名】明細書
【補正対象項目名】００１４
【補正方法】変更
【補正の内容】
【００１４】
すなわち、長尺状かつ幅広平板状を成した可撓性単板であって、該長尺方向に連続した凸条又は凹条の樋状体の複数個をそれぞれ略平行に配列形成すると共にその凸条の凸頂部付近及び又は凹条の凹底部付近に、複数個の貫通孔を形成して成る流路基板と、該流路基板の全体を包被する通水シート材であって、砂礫の通過を阻止し得る程度の通水性を有した包被体と、から成り、前記包被体は、上記流路基板の長尺方向の一端側を閉塞すると共に、他端側を開放させて流路基板の端部より外側へ延長させて形成していることを特徴としている。
【手続補正３】
【補正対象書類名】明細書
【補正対象項目名】００１５
【補正方法】変更
【補正の内容】
【００１５】
上記構成の流路基板は、凸条と凹条を連続的に接続させて、その幅方向の断面形状が所謂サインカーブに形成することが好適であるが、凸条と凹条の複数の樋状体を配列しているものであれば、その凸条と凹条の形状は、矩形、台形、三角形の種々の形状に設定しても良い。
【手続補正４】
【補正対象書類名】明細書
【補正対象項目名】００１８
【補正方法】変更
【補正の内容】
【００１８】
特に、上記包被体の流路基板への配設においては、上記一端側閉塞すると共に、他端側を外側へ延長させた配設とし、かつ、流路基板へ非固定であることを特徴としている。